(57)【要約】【課題】各患者の保険証情報を記憶し、患者本人であることを認証後、保険証情報の参照を可能にする。【解決手段】各患者の氏名、住所、および患者対して割り当てられた患者番号等からなる患者情報とその患者の指紋認証情報や保険証情報等の各種情報を対応付けて記録媒体２に予め記録させておき、指紋認証装置３は患者の指紋の画像を読み取り、指紋認証システム４に供給する。指紋認証システム４は、患者の指紋認証情報に基づいて、指紋認証装置３によって読み取られた指紋が患者本人のものであるか否かを認証し、認証結果を情報端末１に供給する。情報端末１は、認証の結果、患者本人であることが認証された場合、その患者の患者情報や保険証情報を記録媒体２から読み出し、ディスプレイ５に供給し、表示させる。【選択図】      図１
2004157683.tif 000002
【特許請求の範囲】
【請求項１】
各患者の保険証情報を参照できる保険証情報参照システムであって、
少なくとも各患者の前記保険証情報を記憶する第１の記憶手段と、
各患者の認証情報を記憶する第２の記憶手段と、
各患者の身体的特徴を読み取る読み取り手段と、
前記第２の記憶手段によって記憶されている前記患者に対応する前記認証情報と、前記読み取り手段によって読み取られた前記患者の身体的特徴から、前記患者が本人であるか否かを認証する認証手段と、
前記認証手段による認証結果に応じて、前記第１の記憶手段によって記憶されている前記患者に対応する前記保険証情報を出力する出力手段と
を備えることを特徴とする保険証情報参照システム。
【請求項２】
前記認証情報は、前記患者の身体的特徴から本人であるか否かを認証するための情報であり、初診時に予め前記第２の記憶手段によって記憶される
ことを特徴とする請求項１に記載の保険証情報参照システム。
【請求項３】
前記身体的特徴は、指紋、虹彩、または顔の特徴である
ことを特徴とする請求項１または２に記載の保険証情報参照システム。
【請求項４】
少なくとも前記保険証情報を表示する表示手段をさらに備える
ことを特徴とする請求項１，２または３に記載の保険証情報参照システム。
【請求項５】
各患者の保険証情報を参照できる保険証情報参照システムにおける保険証情報参照方法であって、
前記保険証情報を記憶する第１の記憶ステップと、
各患者の認証情報を記憶する第２の記憶ステップと、
各患者の身体的特徴を読み取る読み取りステップと、
前記第２の記憶ステップにおいて記憶された前記患者に対応する前記認証情報と、前記読み取りステップにおいて読み取られた前記患者の身体的特徴から、前記患者が本人であるか否かを認証する認証ステップと、
前記認証ステップにおける認証結果に応じて、前記第１の記憶ステップにおいて記憶された前記患者に対応する前記保険証情報を出力する出力ステップと
を備えることを特徴とする保険証情報参照方法。
【請求項６】
各患者の保険証情報を参照できる保険証情報参照システムを制御する保険証情報参照プログラムであって、
前記保険証情報を記憶する第１の記憶ステップと、
各患者の認証情報を記憶する第２の記憶ステップと、
各患者の身体的特徴を読み取る読み取りステップと、
前記第２の記憶ステップにおいて記憶された前記患者に対応する前記認証情報と、前記読み取りステップにおいて読み取られた前記患者の身体的特徴から、前記患者が本人であるか否かを認証する認証ステップと、
前記認証ステップにおける認証結果に応じて、前記第１の記憶ステップにおいて記憶された前記患者に対応する前記保険証情報を出力する出力ステップと
を前記保険証情報参照システムに実行させることを特徴とする保険証情報参照プログラム。
【発明の詳細な説明】
【０００１】
【発明の属する技術分野】
本発明は、保険証情報参照システムに関し、特に、患者の保険証情報を記憶し、適宜参照することができる保険証情報参照システムに関する。
【０００２】
【従来の技術】
従来、病院の受付では、患者が初めて利用する場合、および前回保険証を受付に提出した日より一定の期間が経った場合に、定期的に保険証を持参しなくてはならなかった。図４は、従来の受付業務の手順を示すフローチャートである。まず最初に、ステップＳ１１において、患者は、病院に到着すると保険証を受付に提出する。次に、ステップＳ１２において、受付は、保険証に記載されている保険証情報を確認する。その後、患者の診察および治療が終了すると、ステップＳ１３に進み、受付は、保険証情報を元に、診察および治療に応じた医療費を算定する。次に、ステップＳ１４において、受付は、患者に対して医療費の請求を行い、保険証を患者に返却する。次に、ステップＳ１５において、患者は、請求された医療費を支払い、保険証を受け取る。
また、初診患者、新生児等、登録該当者の虹彩等の生体特徴を予め登録しておき、再診時等の照合時に被照合個体の生体特徴を得て、この被照合個体の生体特徴と登録済の生体特徴とを比較して被照合者の個体確認を行ことにより、病院等の医療機関における患者、新生児等の個体確認を確実に行い、患者、新生児間違い等をなくし、また、他者による本人の成りすましを排除するようにしたものがある（例えば、特許文献１参照）。
また、保険証情報カードから保険証情報をカード読み書き装置が読み出し、この読み出した情報を、個人認証装置において取得した認証情報と共に、通信回線を介して医療機関の計算機に送信し、計算機で認証を行うと共に、診療費を算出する。保険者の計算機は、計算機が算出した診療費に基づいて、診療費の精算を行う。このようにして、安全性を維持しつつ、特に医療機関に対する遠隔地からの保険情報のやりとりを容易にし、正確な保険証情報の維持及び診療費の精算を簡単に行えるようにしたものがある（例えば、特許文献２参照）。
また、登録者の顔のみ又は掌と顔を予め撮影・登録し、各種商品の購入場所や利用施設等の窓口或いは住居や機密施設の玄関等の確認場所で被確認者の顔のみ又は掌と顔を撮影し、この撮影した登録者と被確認者の顔のみ又は掌と顔を比較判断し、同一人物であると同定・確認された場合のみ現金の引出や預金、商品の購入、交通機関の利用、利用施設や機密施設への入場・利用、証明書の発行等を許可することにより、現金、印鑑、カード、保険証、定期券等の携帯が一切不要であって、他人に知られて不正使用される虞れもない本人確認方法もある（例えば、特許文献３参照）。
【０００３】
【特許文献１】
特開２００１−７６０７２号公報（図１）
【特許文献２】
特開２００２−２３０１５７号公報（図１）
【特許文献３】
特開平１１−１４４０６０号公報（図１）
【０００４】
【発明が解決しようとする課題】
上述した従来の方法では、貴重な保険証を定期的に患者が病院まで持参しなくてはならないため、利便性が低いという問題点と、他者によって保険証が盗まれ、不正使用されると莫大な被害を被る危険性があるという問題点があった。医事業務では、新患の場合、および再来の場合にも、定期的に保険証の提出が必要であり、患者が保険証を持参していない場合、業務に支障をきたすという問題点がある。
また、初診患者、新生児等、登録該当者の虹彩等の生体特徴を予め登録しておき、再診時等の照合時に被照合個体の生体特徴を得て、この被照合個体の生体特徴と登録済の生体特徴とを比較して被照合者の個体確認を行ことにより、病院等の医療機関における患者、新生児等の個体確認を確実に行い、患者、新生児間違い等をなくし、また、他者による本人の成りすましを排除する場合でも、保険証を持参しなくてはならないため、同様の問題がある。
また、保険証情報カードから保険証情報をカード読み書き装置が読み出し、この読み出した情報を、個人認証装置において取得した認証情報と共に、通信回線を介して医療機関の計算機に送信し、計算機で認証を行うと共に、診療費を算出し、算出した診療費に基づいて、診療費の精算を行うことにより、安全性を維持しつつ、特に医療機関に対する遠隔地からの保険情報のやりとりを容易にし、正確な保険証情報の維持及び診療費の精算を簡単に行えるようにする場合でも、保険証カードを持ち歩く必要があり、同様の問題がある。
また、登録者の顔のみ又は掌と顔を予め撮影・登録し、各種商品の購入場所や利用施設等の窓口或いは住居や機密施設の玄関等の確認場所で被確認者の顔のみ又は掌と顔を撮影し、この撮影した登録者と被確認者の顔のみ又は掌と顔を比較判断し、同一人物であると同定・確認された場合のみ現金の引出や預金、商品の購入、交通機関の利用、利用施設や機密施設への入場・利用、証明書の発行等を許可することにより、現金、印鑑、カード、保険証、定期券等の携帯が一切不要であって、他人に知られて不正使用される虞もない本人確認方法もあるが、検診時には保険証を持ち歩く必要があり、同様の問題がある。
【０００５】
本発明はこのような状況に鑑みてなされたものであり、患者が保険証を病院まで持参する回数を極力減らすことができるようにするものである。
【０００６】
【課題を解決するための手段】
請求項１に記載の保険証情報参照システムは、各患者の保険証情報を参照できる保険証情報参照システムであって、少なくとも各患者の保険証情報を記憶する第１の記憶手段と、各患者の認証情報を記憶する第２の記憶手段と、各患者の身体的特徴を読み取る読み取り手段と、第２の記憶手段によって記憶されている患者に対応する認証情報と、読み取り手段によって読み取られた患者の身体的特徴から、患者が本人であるか否かを認証する認証手段と、認証手段による認証結果に応じて、第１の記憶手段によって記憶されている患者に対応する保険証情報を出力する出力手段とを備えることを特徴とする。
また、認証情報は、患者の身体的特徴から本人であるか否かを認証するための情報であり、初診時に予め第２の記憶手段によって記憶されるようにすることができる。
また、身体的特徴は、指紋、虹彩、または顔の特徴とすることができる。
また、少なくとも保険証情報を表示する表示手段をさらに備えるようにすることができる。
請求項５に記載の保険証情報参照方法は、各患者の保険証情報を参照できる保険証情報参照システムにおける保険証情報参照方法であって、保険証情報を記憶する第１の記憶ステップと、各患者の認証情報を記憶する第２の記憶ステップと、各患者の身体的特徴を読み取る読み取りステップと、第２の記憶ステップにおいて記憶された患者に対応する認証情報と、読み取りステップにおいて読み取られた患者の身体的特徴から、患者が本人であるか否かを認証する認証ステップと、認証ステップにおける認証結果に応じて、第１の記憶ステップにおいて記憶された患者に対応する保険証情報を出力する出力ステップとを備えることを特徴とする。
請求項６に記載の保険証情報参照プログラムは、各患者の保険証情報を参照できる保険証情報参照システムを制御する保険証情報参照プログラムであって、保険証情報を記憶する第１の記憶ステップと、各患者の認証情報を記憶する第２の記憶ステップと、各患者の身体的特徴を読み取る読み取りステップと、第２の記憶ステップにおいて記憶された患者に対応する認証情報と、読み取りステップにおいて読み取られた患者の身体的特徴から、患者が本人であるか否かを認証する認証ステップと、認証ステップにおける認証結果に応じて、第１の記憶ステップにおいて記憶された患者に対応する保険証情報を出力する出力ステップとを保険証情報参照システムに実行させることを特徴とする。
【０００７】
【発明の実施の形態】
本発明は、医療機関の医事業務などで、患者の医療費算定などのために利用される保険証に記載されている保険証情報を参照するにあたり、初診時に所定の記憶装置に保険証情報を登録しておき、次回より、来院患者の保険証情報参照時には、指紋等により本人であるか否かを認証することにより、保険証情報の機密性を高めるとともに、利便性を高めるものである。
【０００８】
以下、本発明の保険証情報参照システムについて説明する。図１は、本発明の保険証情報参照システムの一実施の形態の構成例を示すブロック図である。同図に示すように、本実施の形態は、医事業務全体を制御する情報端末１と、各患者の氏名、住所、および患者対して割り当てられた患者番号等からなる患者情報と対応付けて、その患者の指紋認証情報や保険証情報等の各種情報が記録される記録媒体２と、患者の指紋の画像を読み取る指紋認証装置３と、記録媒体２に記録されている患者の指紋認証情報に基づいて、指紋認証装置３によって読み取られた指紋が患者本人のものであるか否かを認証する指紋認証システム４と、認証結果や保険証情報等の情報や、医事業務を行う上で必要な各種画面を表示するためのディスプレイ５とから構成されている。
【０００９】
指紋認証装置３は情報端末１に接続され、情報端末１は指紋認証システム４と連携している。情報端末１はディスプレイ５および記録媒体２と接続されている。また、指紋認証システム４は、指紋認証装置３に付属する場合や、情報端末１に組み込まれる場合等が考えられる。
【００１０】
情報端末１は、例えば、パーソナルコンピュータやワークステーション、レセプト電算機などにより構成されている。記録媒体２は、例えば、光ディスク、ＣＤ−ＲＯＭ（ｃｏｍｐａｃｔ  ｄｉｓｃ  ｒｅａｄ  ｏｎｌｙ  ｍｅｍｏｒｙ）、磁気ディスク、ハードディスク等が考えられる。また、指紋認証システム４は、例えば、パーソナルコンピュータやワークステーション等により構成されている。
【００１１】
図２は、指紋認証装置３の構成例を示すブロック図である。指紋認証装置３は、図示せぬ制御部と、図示せぬ検出部と、指紋読み取り部３１と、液晶画面３２等から構成されている。制御部は各部を制御し、検出部は、指紋読み取り部３１に指が置かれたことを検出し、指紋読み取り部３１に指紋の画像の読み取りの開始を指示するようになっている。指紋読み取り部３１は、検出部からの指令により、患者の指紋の画像を読み取るようになっている。液晶画面３２は、指紋読み取り部３１の読み取り状況、読み取り結果、読み取った指紋の画像等の各種情報を表示するようになっている。指紋読み取り部３１が指紋を読み取る際に用いる方法は、例えば、光学式、感熱式、静電誘導式等とすることができる。
【００１２】
次に、図３に示したフローチャートを参照して、本実施の形態の動作について説明する。まず最初に、ステップＳ１において、患者は、指紋認証装置３の指紋読み取り部３１に指を置く。指紋認証装置３の図示せぬ検出部によって患者の指が指紋読み取り部３１に置かれたことが検出されると、指紋読み取り部３１はその指の指紋の画像を読み取る。そして、指紋認証装置３の図示せぬ制御部は、指紋読み取り部３１によって読み取られた指紋の画像を情報端末１に供給する。情報端末１は、指紋認証装置３より供給された指紋の画像を指紋認証システム４に供給する。
【００１３】
次に、ステップＳ２において、指紋認証システム４の図示せぬ制御部は、指紋認証装置３によって読み取られた指紋の画像を情報端末１を介して受け取ると、指紋認証装置３によって読み取られた指紋の画像に対応する指紋認証情報が、記録媒体２に登録されているか否かを判定する。
【００１４】
この例では、指紋認証システム４は定期的に、情報端末１から記録媒体２に記録されている最新の患者情報と指紋認証情報の提供を受け、図示せぬ記憶装置に記憶させておく。従って、指紋認証システム４の制御部は、指紋認証装置３によって読み取られた指紋の画像に対応する指紋認証情報が図示せぬ記憶装置に記憶されていないと判定した場合、その指紋認証情報に対応する患者の患者情報および保険証情報が記録媒体２に登録されていないと判断し、判断結果を情報端末１に送信する。
【００１５】
この判断結果を受けた情報端末１は、例えば、「登録されていません」等のエラーメッセージを表示するための表示データを作成し、ディスプレイ５に供給する。この表示データを受け取ったディスプレイ５は、表示データに対応する上記エラーメッセージを表示する。その後、受付は、この患者を初診患者として扱い、保険証情報や指紋認証情報の登録を行う等、適切に対処する。
【００１６】
一方、指紋認証システム４の制御部が、指紋認証装置３によって読み取られた指紋の画像に対応する指紋認証情報が図示せぬ記憶装置に記憶されていると判定した場合、その患者の指紋認証情報に対応する患者の患者情報および保険証情報が記録媒体２に登録されていると判断し、判断結果を情報端末１に供給するとともに、その指紋認証情報に対応する患者の患者番号を患者情報から特定し、その患者番号を情報端末１に送信する。
【００１７】
次に、ステップＳ３において、情報端末１は、指紋認証システム４から送信されてきた患者番号に基づいて、記録媒体２からその患者番号に対応する患者情報および保険証情報を検索する。次に、ステップＳ４において、記録媒体２からその患者番号に対応する患者情報および保険証情報を読み出し、ディスプレイ５に供給し、表示するよう指令する。
【００１８】
ステップＳ５において、この指令を受けたディスプレイ５は、情報端末１より供給された患者情報および保険証情報を表示する。
【００１９】
以上説明したように、本実施の形態においては、予め各患者の患者情報、保険証情報、および指紋認証情報を記録媒体２に記録しておき、来院した患者の指紋により患者本人であるか否かを認証し、患者本人であると認証された場合、患者の患者情報および保険証情報を記録媒体２から読み出してディスプレイ５に表示することができるので、患者が保険証を毎回持参しなくても、医療機関は患者の指紋だけで保険証情報を参照することが可能となる。
【００２０】
なお、上記実施の形態においては、患者の指紋から本人であるか否かを認証するようにしたが、その他の身体的特徴に基づいて患者本人であるか否かを認証することもできる。
【００２１】
また、上記実施の形態の構成および動作は例であって、本発明の趣旨を逸脱しない範囲で適宜変更することができることは言うまでもない。
【００２２】
【発明の効果】
以上の如く、本発明に係る保険証情報参照システムによれば、保険証情報を記憶し、各患者の認証情報を記憶し、各患者の身体的特徴を読み取り、記憶された患者に対応する認証情報と、読み取られた患者の身体的特徴から、患者が本人であるか否かを認証し、認証結果に応じて、記憶された患者に対応する保険証情報を出力するようにしたので、患者が病院に保険証を持参し、提出する回数をできるだけ少なくし、患者が保険証を紛失したり盗難にあったりする危険をできるだけ回避することができる。また、病院側においても、保険証情報を記録媒体から呼び出して表示することにより、保険証情報を迅速に参照することが可能となり、医事業務の効率を上げることができる。また、患者本人であることが認証された後、保険証情報の参照を可能にすれば、保険証情報の機密性を確保することができる。
【図面の簡単な説明】
【図１】本発明の保険証情報参照システムの一実施の形態の構成例を示すブロック図である。
【図２】指紋認証装置の構成例を示すブロック図である。
【図３】図１の実施の形態の動作を説明するためのフローチャートである。
【図４】従来の受付方法を説明するためのフローチャートである。
【符号の説明】
１  情報端末
２  記録媒体
３  指紋認証装置
４  指紋認証システム
５  ディスプレイ
３１  指紋読み取り部
３２  液晶画面
【図１】
2004157683.tif 000003
【図２】
2004157683.tif 000004
【図３】
2004157683.tif 000005
【図４】
2004157683.tif 000006